(57)【要約】【課題】  比較的簡単な構成でもって、高所に配設された配管の表面検査とガス漏れ検査とが同時に行える配管検査装置を提供すること。【解決手段】  ガスが流れる配管３４を検査するための配管検査装置２。ロッド体４と、ロッド体４の先端部に設けたカメラ手段６と、ロッド体４の先端部近傍のガス検知域８に存在するガスを検知するためのガス検知手段１０とを備え、カメラ手段６は配管３４の表面を検査し、またガス検知手段１０は配管３４内を流れるガスの漏洩を検知する。これにより、配管３４の表面検査及びガス漏れ検査を同時に行うことが可能となる。【選択図】  図５
2006126022.tif 000002
【特許請求の範囲】
【請求項１】
ガスが流れる配管を検査するための配管検査装置であって、
ロッド体と、前記ロッド体の先端部に設けたカメラ手段と、前記ロッド体の先端部近傍のガス検知域に存在するガスを検知するためのガス検知手段とを備え、
前記カメラ手段は前記配管の表面を検査し、また前記ガス検知手段は前記配管内を流れるガスの漏洩を検知することを特徴とする配管検査装置。
【請求項２】
前記ロッド体は伸縮自在に構成され、前記ロッド体の先端ロッド部には前記カメラ手段及び前記ガス検知手段が設けられ、また前記先端ロッド部には、前記カメラ手段からの撮影データ及び前記ガス検知手段からのガス検知データを送信するデータ送信手段が設けられていることを特徴とする請求項１に記載の配管検査装置。
【請求項３】
前記ロッド体の先端部は可撓性を有しており、前記ロッド体には、この先端部に関連して、前記ロッド体の先端部を屈曲させるための屈曲機構が設けられていることを特徴とする請求項１又は２に記載の配管検査装置。
【請求項４】
前記屈曲機構は駆動源を備えており、前記駆動源が作動することにより前記ロッド体の先端部が屈曲することを特徴とする請求項３に記載の配管検査装置。
【請求項５】
前記ロッド体の先端部には、前記配管内から漏出したガスを前記ガス検知域に導くためのフード部材が設けられていることを特徴とする請求項１〜４のいずれかに記載の配管検査装置。
【発明の詳細な説明】
【技術分野】
【０００１】
本発明は、ガスが流れる配管を検査するための配管検査装置に関する。
【背景技術】
【０００２】
都市ガスなどの燃料用ガス（以下、「ガス」という）を輸送するために、例えば、河川・渓谷・運河などの上に架け渡された橋梁に、内部にガスが流れる配管が配設されている。このような配管はその材質を鉄で形成することが多く、このような鉄製の配管では、腐食や地震等による亀裂、割れ等が発生する恐れがあるため、定期的に配管を検査する必要がある。そのため、従来より、橋梁などの高所に配設された配管の表面を検査する際には、一般的に、検査員が例えば河川敷などから配管を見上げて、配管の表面に異常がないかどうかを目視で検査する目視検査が行われている。そして、配管の表面に例えば亀裂等の異常が発見された際には、この亀裂より配管内のガスが漏洩している恐れがあるため、ガスセンサなどを備えた検査機器によりガス漏れ検査を行っている。
【０００３】
また、検査機器を搭載した走行ロボットを用いて、配管を検査することも行われている（例えば、特許文献１参照）。この走行ロボットを用いた検査では、間隔を置いて複数個のリニアコイル及びセンサを配置したリニアガイドが配管に沿って設置され、このリニアガイドに検査機器を搭載した走行ロボットが移動自在に装着される。そして、走行ロボットに設けられた永久磁石と、リニアガイドに設けられたリニアコイルとの吸引力及び反発力によって走行ロボットが配管に沿って走行し、走行ロボットに搭載した検査機器により配管の亀裂、割れ等の検査が行われる。
【０００４】
【特許文献１】特開平５−３２２７７７号公報
【発明の開示】
【発明が解決しようとする課題】
【０００５】
しかしながら、上述のような従来の配管の検査では、次のような問題がある。例えば、上述の目視検査では、配管が橋梁などの高所に配設されている場合には、検査員が配管を下から見上げて目視検査するため、配管の表面の下側部分だけしか検査することができず、配管の表面の上側部分に異常があったときにはこの異常を発見するのが難しいという問題が生じていた。また、ガス漏れ検査をこの目視検査とは別に行う必要があるため、配管の検査に要する時間及び手間が増大してしまい、検査の効率が非常に悪くなるという問題が生じていた。
【０００６】
また、上述の走行ロボットを用いた配管検査では、検査しようとする配管にリニアガイドを設置する必要があるため、リニアガイドや走行ロボット等の検査機器及び検査設備の構成が複雑になるとともに、その設置等に要するコストが増大してしまうという問題が生じていた。また、このような配管検査では、リニアガイドが配設されていない配管では検査を行うことができず、汎用的に適用することが難しいという問題が生じていた。
【０００７】
本発明の目的は、比較的簡単な構成でもって、高所に配設された配管の表面検査とガス漏れ検査とが同時に行える配管検査装置を提供することである。
【課題を解決するための手段】
【０００８】
本発明の請求項１に記載の配管検査装置では、ガスが流れる配管を検査するための配管検査装置であって、
ロッド体と、前記ロッド体の先端部に設けたカメラ手段と、前記ロッド体の先端部近傍のガス検知域に存在するガスを検知するためのガス検知手段とを備え、
前記カメラ手段は前記配管の表面を検査し、また前記ガス検知手段は前記配管内を流れるガスの漏洩を検知することを特徴とする。
【０００９】
また、本発明の請求項２に記載の配管検査装置では、前記ロッド体は伸縮自在に構成され、前記ロッド体の先端ロッド部には前記カメラ手段及び前記ガス検知手段が設けられ、また前記先端ロッド部には、前記カメラ手段からの撮影データ及び前記ガス検知手段からのガス検知データを送信するデータ送信手段が設けられていることを特徴とする。
【００１０】
さらに、本発明の請求項３に記載の配管検査装置では、前記ロッド体の先端部は可撓性を有しており、前記ロッド体には、この先端部に関連して、前記ロッド体の先端部を屈曲させるための屈曲機構が設けられていることを特徴とする。
【００１１】
また、本発明の請求項４に記載の配管検査装置では、前記屈曲機構は駆動源を備えており、前記駆動源が作動することにより前記ロッド体の先端部が屈曲することを特徴とする。
【００１２】
さらに、本発明の請求項５に記載の配管検査装置では、前記ロッド体の先端部には、前記配管内から漏出したガスを前記ガス検知域に導くためのフード部材が設けられていることを特徴とする。
【発明の効果】
【００１３】
本発明の請求項１に記載の配管検査装置によれば、ロッド体と、ロッド体の先端部に設けたカメラ手段と、ロッド体の先端部近傍のガス検知域に存在するガスを検知するためのガス検知手段とを備えているので、配管の表面検査と、配管内から漏出したガスの漏れ検査とを同時に行うことができ、検査の効率を向上させることが可能となる。また、配管検査装置の構成を、ロッド体にカメラ手段及びガス検知手段を設けるという比較的簡単なものとすることができるため、配管検査装置の製造などに要するコストを大幅に低減することができる。さらに、従来の自動検査装置のように配管に検査設備を設置する必要がないため、このような検査設備が設置されていない配管に対しても検査を行うことができ、汎用性の高い配管検査装置を提供することが可能となる。
【００１４】
また、本発明の請求項２に記載の配管検査装置によれば、ロッド体が伸縮自在に構成されているので、検査する配管の設置されている高さによってロッド体の長さを自在に調節することができ、その結果、設置高さの異なる配管に対して所望の検査を行うことが可能となる。また、配管検査装置を使用しない時にはロッド体の長さを縮めておくことにより、配管検査装置を容易に持ち運ぶことが可能となる。さらに、ロッド体の先端ロッド部には、カメラ手段からの撮影データ及びガス検知手段からのガス検知データを送信するデータ送信手段が設けられているので、無線でこれらのデータを送信することが可能となる。その結果、これらのデータを送給するための、カメラ手段及びガス検知手段から延びる各ケーブル類を省略することができ、ロッド体を伸縮させる際にこのような各ケーブル類が障害になることがなく、また配管検査装置の構成をより一層簡単なものとすることが可能となる。
【００１５】
さらに、本発明の請求項３に記載の配管検査装置によれば、ロッド体の先端部を屈曲させるための屈曲機構が設けられているので、配管の表面の上側部分を検査する場合であっても、可撓性を有するロッド体の先端部を、屈曲機構により配管の検査箇所に対向させることができ、その結果、カメラ手段により配管の検査箇所を確実に撮影することができ、また配管の検査箇所から漏出したガスがガス検知域に流れ、かく流れる漏洩ガスを確実に検知することが可能となる。
【００１６】
また、本発明の請求項４に記載の配管検査装置によれば、駆動源が作動することによりロッド体の先端部が屈曲するので、例えばリモートコントロール操作などで容易にロッドの先端部を屈曲させることが可能となる。なお、駆動源としては、例えば駆動用電動モータを用いることができる。
【００１７】
さらに、本発明の請求項５に記載の配管検査装置によれば、ロッド体の先端部にはフード部材が設けられているので、配管内から漏出したガスは捕集されてロッド体の先端部近傍のガス検知域に導かれ、僅かなガスの漏洩をも確実に検知することが可能となる。
【発明を実施するための最良の形態】
【００１８】
以下、添付図面を参照して、本発明に従う配管検査装置の各種実施形態について説明する。
第１の実施形態
まず、図１〜図６を参照して、第１の実施形態の配管検査装置について説明する。図１は、第１の実施形態の配管検査装置の要部を、ロッド体を伸長した状態で示す正面図、図２は、図１の配管検査装置を、ロッド体を収納した状態で示す正面図、図３は、図１の配管検査装置の先端部を示す平面図、図４は、図１の配管検査装置における先端ロッド部を、屈曲した状態で示す正面図、図５は、図１の配管検査装置を用いて配管を検査している状態を示す概略図、図６は、図１の配管検査装置の先端ロッド部の先端部を配管の検査箇所に対向させた状態を示す概略図である。
【００１９】
図１〜図４を参照して、図示の配管検査装置２は、ロッド体４と、ロッド体４の先端部に設けたカメラ手段６と、ロッド体４の先端部近傍のガス検知域８に存在するガスを検知するためのガス検知手段１０とを備えている。以下、配管検査装置２の各構成要素について詳細に説明する。
【００２０】
図１を参照して、図示のロッド体４は、ロッド体４の先端部に設けられた先端ロッド部１２と、ロッド体４の基部に設けられた基部ロッド部１６と、先端ロッド部１２と基部ロッド部１６との間に設けられた複数（本実施形態では、４個）の中間ロッド部１４とから構成され、各ロッド部１２，１４，１６はそれぞれ例えばアルミニウムやステンレスなどの金属材料、比較的強度の大きい樹脂材料などから形成される。先端ロッド部１２は円筒スリーブ状に形成され、その先端側部１５が例えばゴム材等の可撓性材料から形成されて弾性的に撓み、その基部側部１７が金属材料、樹脂材料等から形成され、可撓性の先端側部１５が、後述する屈曲機構６９によって自在に屈曲される。また、先端ロッド部１２の先端部には、円柱状の取付部材１８（後述する）が設けられており、この取付部材１８の外周部にはフード部材２０が固定的に（又は、着脱自在に）取り付けられている。フード部材２０は、略三角形状の薄板を凹状に湾曲させた形状を有し、取付部材１８から外方に突出している。このフード部材２０は、その凹面側（内面側）により取付部材１８の前方の空間領域（ガス検知域８を含む領域）を覆うようにして取り付けられる（図３、図４及び図６参照）。この形態では、先端ロッド部１２の基部側部１７の外周面に、データ送信手段３２（後述する）が取り付けられている。
【００２１】
中間ロッド部１４は、第１〜第４中間ロッド部２４，２６，２８，３０から構成されており、これら各中間ロッド部２４，２６，２８，３０はそれぞれ円筒スリーブ状に形成されている。先端ロッド部１２の基部側部１７の外径は、第１中間ロッド部２４の内径よりも僅かに小さく構成されており、この先端ロッド部１２の基部側部１７は、第１中間ロッド部２４の内部にその軸方向（図１において上下方向）に移動自在に装着され、その大部分が第１中間ロッド部２４内に収納される。同様に、第１（第２、第３）中間ロッド部２４（２６，２８）の外径は第２（第３、第４）中間ロッド部２６（２８，３０）の内径よりも僅かに小さく構成され、第１（第２、第３）中間ロッド部２４（２６，２８）は、第２（第３、第４）中間ロッド部２６（２８，３０）の内部にその軸線方向に移動自在に装着され、その基部側の大部分が第２（第３、第４）中間ロッド部２６（２８，３０）内に収納される。
【００２２】
また、基部ロッド部１６は円筒スリーブ状に形成されており、その内径は第４中間ロッド部３０の外径よりも僅かに大きく構成されている。第４中間ロッド部３０は、この基部ロッド部１６の内部にその軸方向に移動自在に装着され、その基部側の大部分が基部ロッド部１６内に収納される。
【００２３】
このように構成されたロッド体４は、以下のようにして自在に伸縮させることが可能である。配管検査装置２を使用しない状態では、図２に示すように、先端ロッド部１２の基部側部１７の大部分が、第１中間ロッド部２４の内部に収納される。同様に、第１中間ロッド部２４の大部分が第２中間ロッド部２６の内部に、第２中間ロッド部２６の大部分が第３中間ロッド部２８の内部に、第３中間ロッド部２８の大部分が第４中間ロッド部３０の内部に、また第４中間ロッド部３０の大部分が基部ロッド部１６の内部にそれぞれ収納される。従って、ロッド体４は全体として収納状態となり、全体の長さを短くしてその取り扱い（運搬、保管等）が容易となる。
【００２４】
配管検査装置２を使用する際には、この収納状態から引き伸ばして伸長状態にする。例えば、先端ロッド部１２の基部側部１７の先端部を手で掴んで伸長方向（図２中の矢印Ｘで示す方向）に引っ張ることにより、先端ロッド部１２が第１中間ロッド部２４の内部から引き出される。このように引き出した後、図示しない保持機構により、先端ロッド部１２と第１中間ロッド部２４とが保持固定され、従って、先端ロッド部１２が第１中間ロッド部２４から脱落したり、再び第２中間ロッド部２４の内部に収納されてしまうことがない。同様に、第１中間ロッド部２４は第２中間ロッド部２６の内部から、第２中間ロッド部２６は第３中間ロッド部２８の内部から、第３中間ロッド部２８は第４中間ロッド部３０の内部から、また第４中間ロッド部３０は基部ロッド部１６の内部からそれぞれ引き出され、これらについても、図示しない保持機構により保持固定され、このようにして、ロッド体４は全体として伸長状態となる（図１参照）。
【００２５】
各中間ロッド部２４，２６，２８，３０が最大限引き出された伸長状態においては、ロッド体４は全体として例えば約１０ｍ程度の長さとなる。また、各中間ロッド部２４，２６，２８，３０の引き出される量を調節することにより、ロッド体４の全体の長さを例えば６ｍ、８．５ｍ等の任意の長さに調節することができ、設置高さの異なる配管に対して後述する検査を行うことが可能となる。さらに、各ロッド部１２，１６，２４，２６，２８，３０の長さを適宜設定することにより、また中間ロッド部１４の数を適宜設定する、或いは中間ロッド部１４を省略することにより、ロッド体４全体の最大長さを検査の用途に応じた長さに設定することができる。
【００２６】
一方、ロッド体４をこの伸長状態から収納状態にする場合には、上記保持機構（図示せず）による保持固定を解除して、例えば先端ロッド部１２の基部側部１７（第１中間ロッド部２４、第２中間ロッド部２６、第３中間ロッド部２８、第４中間ロッド部３０）の先端部を手で掴んで収納方向（図１中の矢印Ｙで示す方向）へ押し下げればよく、このようにして収納した収納状態においては、ロッド体４は全体として例えば約１ｍ程度の長さとなり、配管検査装置２を容易に持ち運ぶことが可能となる。
【００２７】
配管３４（図５参照）を検査するためのカメラ手段６は、カメラ本体部３６と、カメラ本体部３６に設けられたレンズ部３８とから構成されており、このカメラ本体部３６は、例えばＣＣＤカメラ等で構成される。カメラ本体部３６は先端ロッド部１２の取付部材１８に設けた取付孔４０内に取り付けられ、またレンズ部３８は取付部材１８の一方の端面（図４において右側の端面）に取り付けられ、カメラ本体部３６の前面側を覆っている（図３及び図４参照）。また、取付部材１８の一方の端面において、このレンズ部３８の周囲には例えば発光ダイオード等からなる複数（本実施形態では、６個）の光源４２が設けられており、この複数の光源４２は検査域、即ち配管３４の検査箇所４４（図５及び図６参照）を照明する。
【００２８】
カメラ本体部３６からはカメラケーブル４６が延びている。このカメラケーブル４６は、先端ロッド部１２内、即ちその先端側部１５及び基部側部１７の内部を通り、基部側部１７の外周面に設けた貫通孔（図示せず）を通してデータ送信手段３２に接続されている。カメラ手段６によりレンズ部３８に対向する被撮影物、即ち配管３４の検査箇所４４を撮影すると、被撮影物に関する撮影データがカメラ本体部３６からカメラケーブル４６を介してデータ送信手段３２に送られる。
【００２９】
なお、取付部材１８に光源４２を配設することに代えて、ロッド体４内に光ファイバ（図示せず）を配設し、光ファイバの一端部を取付部材１８に設けた取付孔（図示せず）に取り付けてこれを光照射部（照明用光源として機能する）とし、光ファイバの他端部より発光ダイオードなどの光を送り込んでこの光を光照射部から検査域（配管３４の検査箇所４４）に向けて照射するようにしてもよい。あるいは、このような複数の光源４２を省略することもでき、この場合には、フード部材２０を透明な材料から形成し、透明なフード部材２０を透過した太陽光等を利用して検査域（検査箇所４４）を照明するようにしてもよい。
【００３０】
ガス漏れを検知するガス検知手段１０は、センサ本体部４８と、センサ本体部４８に設けた検知センサ５０とから構成されている。センサ本体部４８は先端ロッド部１２の取付部材１８に設けた取付孔５２内に取り付けられ、また検知センサ５０は取付部材１８の一方の端面に露出して取り付けられている（図３及び図４参照）。この検知センサ５０は、この検知センサ５０の前近傍（すなわち、ロッド体４の先端部近傍）のガス検知域８（図４中において一点鎖線で囲った部分）に存在するガスを検知する。また、センサ本体部４８からはセンサケーブル５４が延びており、このセンサケーブル５４は先端ロッド部１２内、即ちその先端側部１５及び基部側部１７の内部を通り、先端ロッド部１２の基部側部１７に設けた貫通孔を通してデータ送信手段３２に接続されている。検知センサ５０はガス検知域８に存在するガスを検知し、検知センサ５０からのガス検知データがセンサケーブル５４を介してデータ送信手段３２に送られる。
【００３１】
図示のデータ送信手段３２は、送信本体部５６と、送信本体部５６から基部ロッド部１６側（すなわち、データ受信手段５８側）へ延びる送信アンテナ６０とから構成されており、送信本体部５６が先端ロッド部１２の基部側部１７に取り付けられている（図４参照）。データ送信手段３２は、例えば無線機や赤外線通信機等で構成される。送信本体部５６には、上述のようにカメラケーブル４６及びセンサケーブル５４がそれぞれ接続されているので、カメラ手段６からの撮影データ及びガス検知手段１０からのガス検知データが、それぞれケーブル４６，５４を介して送信本体部５６へ送給される。送信本体部５６へ送給された撮影データ及びガス検知データは、送信アンテナ６０より送信される。なお、図示していないが、先端ロッド部１２の基部側部１７には駆動バッテリが取り付けられ、データ送信手段３２は、この駆動バッテリにより駆動される。また、本実施形態ではデータ送信手段３２を先端ロッド部１２の基部側部１７に取り付けているが、確実に取り付けることができる場合には、先端ロッド部１２の先端側部１５の外周面に設けるようにしてもよい。
【００３２】
データ受信手段５８は、受信本体部６２と、受信本体部６２から先端ロッド部１２側（すなわち、データ送信手段３２側）へ延びるアンテナ６４とから構成されており、受信本体部６２は、基部ロッド部１６に固定的に（又は、着脱自在に）取り付けられている（図５参照）。この受信本体部６２のアンテナ６４は、データ送信手段３２の送信アンテナ６０から送信された撮影データ及びガス検知データを受信するときには受信用アンテナとして機能し、この受信した各データは受信本体部６２内に設けたデータ記憶部（図示しない）に記憶される。また、受信本体部６２には操作部６６とモニター部６８とが設けられており、受信した撮影データがこのモニター部６８に表示され、また受信したガス検知データも解析されてモニター部６８に表示され、従って、カメラ手段６にて撮影した画像及びガス検知手段１０にて検知したガス漏れがリアルタイムに表示される。さらに、受信本体部６２の操作部６６では、後述する駆動源７０のリモコン操作などができるようになっている。なお、図１及び図２では、説明の都合上、データ受信手段５８の図示は省略してある。この実施形態では、データ受信手段５８をロッド体４の基部ロッド部１６に取り付けているが、このような構成に代えて、データ受信手段５８に携帯用ベルトを取り付け、検査作業者の首、肩等に掛けて携帯するようにしてもよい。
【００３３】
ロッド体４の先端部、この実施形態では、先端ロッド部１２の先端側部１５が屈曲機構６９によって屈曲されるように構成されている。図４及び図５を参照して、ロッド体４の屈曲機構６９について説明すると、図示の屈曲機構６９は、駆動源７０と、駆動源７０からの駆動力を伝達するワイヤー部材７２とから構成されており、この屈曲機構６９により可撓性の先端側部１５（すなわち、ロッド体４の先端部）が屈曲される。駆動源７０は例えば電動モータで構成され、先端ロッド体１２の基部側部１７の内部に固定的に取り付けられ、この基部側部１７に取り付けられた上記駆動バッテリ（図示せず）からの電力を利用して駆動される。
【００３４】
また、駆動源７０にはリモコン受信部（図示しない）が設けられており、データ受信手段５８の操作部６６を操作することによって発生する操作信号は、アンテナ６４（送信用アンテナとして機能する）から送信され、アンテナ６４からの操作信号をリモコン受信部で受信することによって、駆動源７０の出力軸７４は正転又は逆転して回転駆動される。
【００３５】
ワイヤー部材７２の一端部は先端ロッド部１２の取付部材１８の他方の端面（図４において左側の端面）に取り付けられており、ワイヤー部材７２は取付部材１８から延びて先端ロッド部１２の先端側部１５及び基部側部１７の内部を通り、駆動源７０の出力軸７４に取り付けられている。
【００３６】
このように構成されているので、受信本体部６２の操作部６６で入力操作を行うと、受信本体部６２より操作信号が送信される。この操作信号を駆動源７０のリモコン受信部にて受信すると、この操作信号に基づいて駆動源７０が所定方向に作動され、ワイヤー部材７２が駆動源７０の出力軸７４に巻き取られ、先端ロッド部１２の先端側部１５がワイヤー部材７２を介して引っ張られて弓状に屈曲し始め、ワイヤー部材７２の巻取量を調整することによって、先端ロッド部１２の屈曲量が調節される（図４及び図５参照）。一方、先端ロッド部１２のこの屈曲状態において、駆動源７０が所定方向と反対方向に駆動されると、出力軸７４に巻き取られたワイヤー部材７２が解かれ、先端ロッド部１２の先端側部１５は、その弾性復元作用によって元の屈曲していない状態へと復元し、先端ロッド部１２は元の屈曲していない状態へと完全に復元される（図１参照）。
【００３７】
次に、図５及び図６を参照して、本実施形態による配管検査装置２を用いた配管の検査について説明する。例えば、河川の上に架け渡された橋梁（図示しない）に配設されている配管３４の検査に用いる場合、この配管３４の表面検査とガス漏れ検査とが同時に行われる。この配管３４の内部には例えば都市ガスなどのガスが流れている。配管３４の表面の上側部分を検査する場合には、ロッド体４を収納状態から伸長状態とし、ロッド体４の先端部（すなわち、先端ロッド部１２の先端側部１５）が配管３４の上側にまで届くようにロッド体４全体の長さを調節する。河川敷などに立っている検査員７６（図５中において点線で示す）は、この伸長状態としたロッド体４を手に持ち、受信本体部６２の操作部６６を入力操作して駆動源７０をリモコン操作する。かく操作すると、駆動源７０が所定方向に駆動して先端ロッド部１２の先端側部１５が下側に弓状に屈曲し、これにより先端ロッド部１２の先端面（すなわち、レンズ部３８及び検知センサ５０）が配管３４の表面の上側部分における検査箇所４４に対向するようになる（図６参照）。
【００３８】
配管３４の表面検査においては、先端ロッド部１２の先端部（すなわち、レンズ部３８）を配管３４の表面の検査箇所４４に対向させ、カメラ手段６のレンズ部３８を検査箇所４４から所定の距離だけ離間した位置に位置付ける。そして、取付部材１８に設けた複数の光源４２により検査箇所４４を照明し、カメラ手段６によりこの照明された検査箇所４４を撮影する。かく撮影すると、カメラ手段６からの撮影データがカメラケーブル４６を介して送信本体部５６に送給され、この送信本体部５６から受信本体部６２へと送信され、かく送られた検査箇所４４の撮影データ（映像、画像）がモニター部６８にリアルタイムに表示される。
【００３９】
また、配管３４のガス漏れ検査においては、先端ロッド部１２の先端部（すなわち、検知センサ５０）を配管３４の表面の検査箇所４４に対向させ、ガス検知手段１０の検知センサ５０の近傍のガス検知域８を検査箇所４４に近付ける（カメラ手段６のレンズ部３８を検査箇所４４に対して所定の位置関係に位置付けると、ガス検知手段１０のガス検知域８が検査箇所４４に位置するようになる）。このように位置付けると、ガス検知手段１０の検知センサ５０はガス検知域８のガス濃度を検知し、ガス検知手段１０からのガス検知データがセンサケーブル５４を介して送信本体部５６に送給され、カメラ手段６からの撮影データとともに送信本体部５６から受信本体部６２に送給され、かく送給されたガス検知データが解析されて撮影データとともにモニター部６８にリアルタイムに表示される。
【００４０】
撮影データ及びガス検知データがこのようにモニター部６８に表されるので、検査員７６は、このモニター部６８に表示されるこれらのデータを見ながら、配管３４の表面に腐食や亀裂などの異常がないかについて検査を行うことができるとともに、検査箇所４４におけるガス漏れの有無も検査することができ、またモニター部６８を見ながら、ガス漏れの可能性の高い箇所の洩れ検査を容易に行うことができる。なお、撮影データ及びガス検知データは、受信本体部６２内に設けたデータ記憶部に記憶させることができるが、これらのデータを例えばＣＤ−ＲやＤＶＤ−Ｒなどの記録媒体（図示せず）に記憶させるようにすることも可能である。
【００４１】
配管３４全体を行う場合には、検査員７６は河川敷などを歩いて移動しながら、橋梁に配設された配管３４の表面の上側部分をくまなく検査するようになる。また、配管３４の表面の下側部分を検査する場合でも同様に、受信本体部６２の操作部６６により駆動源７０を操作入力して、先端ロッド部１２の屈曲量を適宜調節することにより、先端ロッド部１２の先端面を配管３４の表面に対向させるようにし、この状態でカメラ手段６及びガス検知手段１０を用いて検査すればよい。このように、本実施形態の配管検査装置２により配管３４を検査することにより、配管３４の表面検査とガス漏れ検査とを同時に行うことが可能となり、検査の効率を向上させることが可能となる。
【００４２】
なお、上述した実施形態では、特に設けていないが、ガス漏れの異常を警報する異常警報手段をデータ受信手段５８に設け、ガス検知手段１０による検知ガス濃度が設定異常レベルを超えたときに警報を発するように構成することもできる。
【００４３】
第２の実施形態
次に、図７を参照して、第２の実施形態の配管検査装置について説明する。図７は、第２の実施形態による配管検査装置を示す正面図である。この図７において、ロッド体の一部を省略して図示してある。なお、以下の実施形態において、第１の実施形態の構成要素と実質上同一の構成要素には同一の符号を付し、その説明を省略する。
【００４４】
図７を参照して、第２の実施形態の配管検査装置２Ａでは、ロッド体４Ａは、円筒スリーブ状のロッド本体部７８と、ロッド本体部７８の先端部に設けた先端ロッド部１２Ａとから構成され、先端ロッド部１２Ａはロッド本体部７８に対して回転自在に取り付けられている。この形態では、ロッド体４Ａは細長い棒状であるが、上記実施形態のように伸縮自在とはなっておらず、また先端ロッド部１２Ａは、その全体が可撓性を有している。また、カメラ本体部３６から延びるカメラケーブル４６は、先端ロッド部１２Ａ及びロッド本体部７８の内部を通り、ロッド本体部７８の基端部（先端ロッド部１２Ａが設けられている先端部とは反対側の端部）に設けた貫通孔（図示せず）を通して検査装置本体１０２に接続される。これにより、カメラ本体部３６からの撮影データは、カメラケーブル４６を介して検査装置本体１０２へ直接的に送給される。
【００４５】
また、ガス検知手段１０Ａは、ガス吸引管８０と検知センサ１０４とから構成されている。ガス吸引管８０の一端部は先端ロッド部１２Ａに取り付けられた取付部材１８の取付孔５２に取り付けられて、その開口端は取付部材１８を通して外部に露出し、またその他端部は検査装置本体１０２に内蔵された検知センサ１０４の検知部に連通し、さらにガス吸引管８０に吸引ポンプ１０８が配設されている。このように構成されているので、ガス吸引管８０の一端部は、漏洩するガスを吸い込むための吸込口８２を構成し、この吸込口８２の近傍にガス検知域８が設けられ、ガス検知域８にて存在するガスは、吸引ポンプ１０８の作用によって吸込口８２を通して吸引され、かく吸引されたガスはガス吸引管８０を通して検知センサ１０４に送給される。
【００４６】
検知装置本体１０２は、データ処理手段１１０及びモニター部１１２を含み、カメラ手段６からの撮影データ及び検知センサ１０４からのガス検知データはデータ処理手段１１０に送られ、かかるデータ処理手段１１０により所要の通りにデータ処理され、データ処理されたこれらのデータがモニター部１１２に表示される。また必要に応じて、これらのデータがメモリ手段（図示せず）に記憶される。  
また、ワイヤー部材７２は、その一端部が取付部材１８に取り付けられ、取付部材１８の内端面から延びるワイヤー部材７２の他端側は先端ロッド部１２Ａ及びロッド本体部７８の内部を通り、ロッド本体部７８の基端部に設けた貫通孔（図示せず）より外部に延びて棒状の操作ハンドル８４に接続される。
【００４７】
この配管検査装置２Ａを用いた配管の検査について説明する。検査の際には、検査員（図示せず）はロッド体４Ａを手に持ち、ロッド体４Ａの先端部（すなわち、先端ロッド部１２Ａ）を配管（図示せず）の表面の検査箇所に近付ける。そして、操作ハンドル８４を図７の矢印Ｑで示す方向に手で引っ張る。かくすると、先端ロッド部１２Ａがワイヤー部材７２を介して下側に引っ張られ、これにより先端ロッド部１２Ａは、図７に示すように下側に弓状に屈曲される。この屈曲状態において、先端ロッド部１２Ａの回転角度位置を調節したい場合には、操作ハンドル８４をロッド体４Ａの軸（図７において上下方向）に対して時計方向（又は、反時計方向）に手で回転させればよく、かく回転させることにより、ワイヤー部材７２が捻れて先端ロッド部１２Ａがロッド本体部７８に対して時計方向（又は、反時計方向）に回転し、先端ロッド部１２Ａの回転角度位置が調節される。このようにして、配管の表面の上側部分又は下側部分の任意の検査箇所において検査を行うことが可能となる。
【００４８】
この配管検査装置２Ａにおいては、カメラ手段１０Ａからの撮影データはカメラケーブル４６を介してデータ処理手段１１０に送給され、また吸込口８２から吸引したガスはガス吸引管８０を通して検査装置本体１０２に内蔵された検知センサ１０４に送られ、検知センサ１０４からのガス検知データがデータ処理手段１１０に送られる。そして、データ処理手段１１０にてデータ処理された撮影データ及びガス検知データがモニター部１１２に表示される。従って、検査員は、このモニター部１１２に表示された情報を見ることによって、配管表面の状態を見ることができるとともに、ガス漏れの有無を同時に知ることができる。
【００４９】
なお、本実施形態では先端ロッド部１２Ａにフード部材を設けていないが、上記第１の実施形態と同様にフード部材２０を設けるようにしてもよい。また、本実施形態では、ガス検知手段１０Ａをガス吸引管８０と検知センサ１０４とから構成したが、上記実施形態と同様に、センサ本体部とセンサ本体部に設けた検知センサとから構成するようにしてもよく、この場合には、センサ本体部からのガス検知データはセンサケーブルを介して検査装置本体１０２のデータ処理手段１１０に直接送給され、吸引ポンプ１０８等を省略することができる。
【００５０】
第３の実施形態
次に、図８を参照して、第３の実施形態の配管検査装置について説明する。図８は、第３の実施形態による配管検査装置の先端ロッド部及びその近傍を示す正面図である。
【００５１】
図８を参照して、第３の実施形態の配管検査装置２Ｂでは、第２の実施形態の配管検査装置２Ａの構成に加えて、ガス検知手段１０Ｂのガス吸引管８０の吸込口８２にノズル体８６が固定的に（又は、着脱自在に）取り付けられている。ノズル体８６は筒状に形成され、その外径は先端に向けて先細に形成されており、外径の大きい基部側が吸込口８２に取り付けられている。このノズル体８６を設けることにより、ノズル体８６の先端部をガス漏れの発生源（例えば、配管の表面の亀裂など）に近付けることができ、これによって、配管（図示せず）から漏出したガスを確実にガス吸引管８０内へ吸引させることが可能となる。このようにノズル体８６を設けた場合、ガス検知域８は、ノズル体８６の先端部近傍（すなわち、ロッド体４Ｂの先端部近傍）に設けられることとなる。
【００５２】
このような配管検査装置２Ｂでは、ロッド体４Ｂの先端ロッド部１２Ｂの先端部を配管（図示せず）の表面の検査箇所に対向させた際に、カメラ手段６のレンズ部３８を検査箇所に近付けすぎると、ピントが合わなくなって鮮明な撮影データを得ることができなくなる。これに対して、この本実施形態のようにノズル体８６を設け、このノズル体８６の長さを、ノズル体８６の先端部を配管の検査箇所に近付けたときのレンズ部３８と検査箇所との間の距離が撮影に適した距離となるように設定することによって、カメラ手段６のレンズ部３８が検査箇所に近付きすぎることがなくなり、鮮明な映像又は画像を有する撮影データを容易に得ることが可能となる。
【００５３】
以上、本発明に従う種々の配管検査装置の実施形態について説明したが、本発明はかかる実施形態に限定されるものではなく、本発明の範囲を逸脱することなく種々の変形乃至修正が可能である。
【００５４】
例えば、上記各実施形態では、都市ガスやＬＰガスなどの燃料用ガスを送給する配管の検査に適用して説明したが、これに限られず、ガスがその他の気体や液体などの流体である場合であっても、この配管検査装置２（２Ａ，２Ｂ）を同様に用いることが可能である。
【００５５】
また例えば、上記各実施形態では、橋梁に配設された配管３４を検査する場合について説明したが、これに限られず、例えば配管がトンネル内に配設されている場合など、比較的高所に配設されている配管を検査する際に配管検査装置２（２Ａ，２Ｂ）を好適に用いることが可能である。
【図面の簡単な説明】
【００５６】
【図１】第１の実施形態の配管検査装置を、ロッド体を伸長した状態で示す正面図。
【図２】図１の配管検査装置を、ロッド体を収納した状態で収示す正面図。
【図３】図１の配管検査装置の先端ロッド部の先端部を示す平面図。
【図４】図１の配管検査装置の先端ロッド部を屈曲した状態で示す正面図。
【図５】図１の配管検査装置を用いて配管を検査している状態を示す概略図。
【図６】図１の配管検査装置の先端ロッド部の先端部を配管の検査箇所に対向させた状態を示す概略図。
【図７】第２の実施形態による配管検査装置を示す正面図。
【図８】第３の実施形態による配管検査装置の先端ロッド部及びその近傍を示す正面図。
【符号の説明】
【００５７】
２，２Ａ，２Ｂ  配管検査装置
４，４Ａ，４Ｂ  ロッド体
６  カメラ手段
８  ガス検知域
１０，１０Ａ，１０Ｂ  ガス検知手段
１２，１２Ａ，１２Ｂ  先端ロッド部
１４  中間ロッド部
１６  基部ロッド部
２０  フード部材
３２  データ送信手段
３４  配管
６９  屈曲機構
７０  駆動源
【図１】
2006126022.tif 000003
【図２】
2006126022.tif 000004
【図３】
2006126022.tif 000005
【図４】
2006126022.tif 000006
【図５】
2006126022.tif 000007
【図６】
2006126022.tif 000008
【図７】
2006126022.tif 000009
【図８】
2006126022.tif 000010